(57)【特許請求の範囲】
【請求項１】
インターネットを通じてデジタルコンテンツを提供する媒体、広告主サーバー、そして一つ以上のユーザー端末と有無線通信網を通じて連結されているインターネット広告提供装置において、
前記媒体に接続したユーザーの接続情報を前記媒体から収集する接続情報収集部、
前記広告主サーバーから提供される一つ以上の広告ページに接続した前記ユーザーの移動情報を前記広告主サーバーから収集する移動情報収集部、
前記媒体から収集した接続情報と前記広告主サーバーから収集した移動情報に基づいて統合情報を生成し、前記統合情報に基づき前記ユーザー別の性向を分析するユーザー分析部、
前記ユーザー別の性向分析結果に基づいて一つのキーワードに対応する複数の広告ページに対するユーザー別の広告ページ伝送比率を算出する広告ページ伝送比率算出部、そして
前記算出された広告ページ伝送比率に基づいて前記一つ以上のユーザー端末に前記一つのキーワードに対応する複数の広告ページを伝送する広告伝送部
を含むインターネット広告提供装置。
【請求項２】
前記接続情報に基づいて前記媒体に接続したユーザーの接続履歴を検索し、前記媒体に接続した前記ユーザーの接続履歴が存在する場合、前記ユーザー別の性向分析結果によって前記ユーザーが媒体広告を所望することと判断するユーザー判断部を含み、
前記広告伝送部は、前記ユーザー判断部で前記ユーザーが媒体広告を所望することと判断される場合、前記媒体広告を伝送する、請求項１に記載のインターネット広告提供装置。
【請求項３】
前記接続情報は、クッキー（ｃｏｏｋｉｅ）、ＩＰ（ｉｎｔｅｒｎｅｔ  ｐｒｏｔｏｃｏｌ）、または前記ユーザー端末ＩＤ（ｉｄｅｎｔｉｆｉｃａｔｉｏｎ）のうちの一つ以上の情報を含み、
前記移動情報は、前記一つ以上の広告ページ内の閲覧順序、広告ページ別閲覧回数、閲覧時間帯または閲覧持続時間のうちの一つ以上の情報を含む、請求項１に記載のインターネット広告提供装置。
【請求項４】
前記ユーザー別の性向分析結果は、前記ユーザーの行動、キーワード情報、ユーザーが閲覧した広告ページ別広告効果、広告効果が最も高い広告ページ、または広告効果が最も低い広告ページのうちの一つ以上を含む、請求項１に記載のインターネット広告提供装置。
【請求項５】
インターネットを通じてデジタルコンテンツを提供する媒体、広告主サーバー、そして一つ以上のユーザー端末と有無線通信網を通じて連結されているインターネット広告提供装置のインターネット広告提供方法において、
前記インターネット広告提供装置が前記媒体に接続したユーザーの接続情報を前記媒体から収集する段階、
前記インターネット広告提供装置が前記広告主サーバーから提供される一つ以上の広告ページに接続した前記ユーザーの移動情報を前記広告主サーバーから収集する段階、
前記インターネット広告提供装置が前記接続情報と前記移動情報に基づいて前記ユーザーの性向を分析する段階、
前記インターネット広告提供装置が前記ユーザー別の性向分析結果に基づいて一つのキーワードに対応する複数の広告ページに対するユーザー別の広告ページ伝送比率を算出する段階、そして
前記インターネット広告提供装置が前記算出された広告ページ伝送比率に基づいて前記一つ以上のユーザー端末に前記一つのキーワードに対応する複数の広告ページを伝送する段階
を含むインターネット広告提供方法。
【請求項６】
前記インターネット広告提供装置が前記接続情報に基づいて前記媒体に接続した前記ユーザーの接続履歴を検索する段階、そして
前記インターネット広告提供装置が前記媒体に接続した前記ユーザーの接続履歴が存在する場合、前記ユーザー別の性向分析結果によって前記ユーザーが媒体広告を所望することと判断する段階を含み、
前記ユーザー判断段階で前記ユーザーが媒体広告を所望することと判断される場合、前記インターネット広告提供装置が前記媒体広告を伝送する、請求項５に記載のインターネット広告提供方法。
【請求項７】
前記ユーザー別の性向分析結果は、前記ユーザーの行動、キーワード情報、ユーザーが閲覧した広告ページ別広告効果、広告効果が最も高い広告ページ、または広告効果が最も低い広告ページのうちの一つ以上を含む、請求項５に記載のインターネット広告提供方法。
【請求項８】
前記接続情報は、クッキー（ｃｏｏｋｉｅ）、ＩＰ（ｉｎｔｅｒｎｅｔ  ｐｒｏｔｏｃｏｌ）、または前記ユーザー端末ＩＤ（ｉｄｅｎｔｉｆｉｃａｔｉｏｎ）のうちの一つ以上の情報を含み、
前記移動情報は、前記一つ以上の広告ページ内の閲覧順序、広告ページ別閲覧回数、閲覧時間帯または閲覧持続時間のうちの一つ以上の情報を含む、請求項５に記載のインターネット広告提供方法。
【発明の詳細な説明】
【技術分野】
【０００１】
インターネット広告提供装置および方法が提供される。
【背景技術】
【０００２】
各種無線機器の発達とネットワークインフラの発展により消費者のオンラインアクセスが大幅に増加している一方オフラインでの広告頻度は減少している。
【０００３】
インターネット広告（Ｉｎｔｅｒｎｅｔ  ａｄｖｅｒｔｉｓｉｎｇ）は、インターネット媒体の長所を活用した広告を意味し、コンピュータまたは携帯用無線機器を介して、インターネットウェブページを通じて広告を提供することによって時間、場所および対象の制限なしに最小の費用で広告効果を極大化させることができる。
【０００４】
また、ウェブページを通じたインターネット広告の露出方法（ウェブページの一部または全部に露出）または露出形態（文字、イメージ、映像、または音響のうちの一つ以上を利用して露出）を広告掲示者が設定できるという点で広告対象の特性に応じたインターネット広告の製作が容易であり、消費者の関心を引き出すための多様な形態のインターネット広告の製作が可能である。
【０００５】
最近はインターネット広告効果を向上させるために消費者の情報を分析し、分析結果に基づいたインターネット広告を提供している。しかし、このような方法はインターネット広告媒体または広告主ウェブページを通じて、それぞれ個別に消費者情報を収集および分析してインターネット広告を提供している。しかし、このような方法によって、消費者の関心分野を把握するには限界があり、消費者の関心分野に最適化したインターネット広告を提供することは難しい。
【発明の概要】
【発明が解決しようとする課題】
【０００６】
本発明の一つの実施形態が解決しようとする課題は、インターネットの媒体広告と広告主の広告ページに対するユーザー情報に基づいて広告および広告ページを提供することにある。
【０００７】
上記課題以外にも、具体的に言及されていない他の課題を達成するには、本発明による実施形態が用いられてもよい。
【課題を解決するための手段】
【０００８】
上記課題を解決するための本発明の一つの実施形態は、媒体、広告主サーバー、そしてユーザー端末と有無線通信網を通じて連結されており、媒体に対するユーザーの接続情報を収集する接続情報収集部、広告主サーバーから提供される一つ以上の広告ページに対するユーザーの移動情報を収集する移動情報収集部、接続情報と移動情報に基づいてユーザーの性向を分析するユーザー分析部、ユーザーの性向分析結果に基づいて広告ページ伝送比率を算出する広告ページ伝送比率算出部、そして広告ページ伝送比率に基づいてユーザー端末に一つ以上の広告ページを伝送する広告伝送部を含むインターネット広告提供装置を提案する。
【０００９】
ここで、接続情報に基づいて媒体に対するユーザーの接続履歴を検索し、媒体に対するユーザーの接続履歴が存在する場合、ユーザーが媒体広告を所望することと判断するユーザー判断部を含み、広告伝送部は、ユーザー判断部でユーザーが媒体広告を所望することと判断される場合、媒体広告を伝送してもよい。
【００１０】
また、接続情報は、クッキー（ｃｏｏｋｉｅ）、ＩＰ（ｉｎｔｅｒｎｅｔ  ｐｒｏｔｏｃｏｌ）、またはユーザー端末ＩＤ（ｉｄｅｎｔｉｆｉｃａｔｉｏｎ）のうちの一つ以上の情報を含み、移動情報は、一つ以上の広告ページ内の閲覧順序、広告ページ別閲覧回数、閲覧時間帯または閲覧持続時間のうちの一つ以上の情報を含んでもよい。
【００１１】
また、ユーザー性向分析結果は、ユーザーの行動、キーワード情報、ユーザーが閲覧した広告ページ別広告効果、広告効果が最も高い広告ページ、または広告効果が最も低い広告ページのうちの一つ以上を含んでもよい。
【００１２】
前記課題を解決するために本発明の一つの実施形態は、媒体、そして広告主サーバーと有無線通信網を通じて連結されており、媒体に対するユーザーの接続情報を収集する段階、接続情報に基づいて媒体に対するユーザーの接続履歴を検索し、媒体に対するユーザーの接続履歴が存在する場合、ユーザーが媒体広告を所望することと判断する段階、そしてユーザー判断段階でユーザーが媒体広告を所望することと判断される場合、媒体広告を伝送する段階を含むインターネット広告提供方法を提案する。
【００１３】
前記課題を解決するために本発明の一つの実施形態は、媒体、広告主サーバー、そしてユーザー端末と有無線通信網を通じて連結されており、媒体に対するユーザーの接続情報を収集する段階、広告主サーバーから提供される一つ以上の広告ページに対するユーザーの移動情報を収集する段階、接続情報と移動情報に基づいてユーザーの性向を分析する段階、ユーザーの性向分析結果に基づいて広告ページ伝送比率を算出する段階、そして広告ページ伝送比率に基づいてユーザー端末に一つ以上の広告ページを伝送する段階を含むインターネット広告提供方法を提案する。
【００１４】
ここで、接続情報に基づいて媒体に対するユーザーの接続履歴を検索する段階、そして媒体に対するユーザーの接続履歴が存在する場合、ユーザーが媒体広告を所望することと判断する段階を含み、ユーザー判断段階でユーザーが媒体広告を所望することと判断される場合、媒体広告を伝送してもよい。
【００１５】
また、接続情報は、クッキー（ｃｏｏｋｉｅ）、ＩＰ（ｉｎｔｅｒｎｅｔ  ｐｒｏｔｏｃｏｌ）、またはユーザー端末ＩＤ（ｉｄｅｎｔｉｆｉｃａｔｉｏｎ）のうちの一つ以上の情報を含み、移動情報は、一つ以上の広告ページ内の閲覧順序、広告ページ別閲覧回数、閲覧時間帯または閲覧持続時間のうちの一つ以上の情報を含んでもよい。
【００１６】
また、ユーザー性向分析結果は、ユーザーの行動、キーワード情報、ユーザーが閲覧した広告ページ別広告効果、広告効果が最も高い広告ページ、または広告効果が最も低い広告ページのうちの一つ以上を含んでもよい。
【発明の効果】
【００１７】
本発明の一つの実施形態によって、ユーザーに最適化された広告を提供し、広告効率を向上させることができる。
【図面の簡単な説明】
【００１８】
【図１】本発明の一つの実施形態によるインターネット広告提供装置である。
【図２】本発明の一つの実施形態による媒体広告提供方法を示す。
【図３】本発明の一つの実施形態による広告ページ提供方法を示す。
【図４】本発明の一つの実施形態による接続情報と移動情報の例示である。
【図５】本発明の一つの実施形態による統合情報の例示である。
【図６】本発明の一つの実施形態による広告ページ伝送比率の例示である。
【発明を実施するための形態】
【００１９】
以下、添付した図面を参照して本発明の実施形態について本発明が属する技術分野における通常の知識を有する者が容易に実施することができるように詳細に説明する。本発明は、多様な異なる形態に具現することができ、ここで説明する実施形態に限定されない。図面において、本発明を明確に説明するために、説明上不要な部分は省略し、明細書全体において同一または類似する構成要素については同一の図面符号が使用された。また、広く知られている公知技術の場合、その具体的な説明は省略する。
【００２０】
本明細書で、ある部分がある構成要素を「含む」という時、これは特に反対の記載がない限り、他の構成要素を除くことではなく、他の構成要素をさらに含むことができることを意味する。また、明細書に記載された「…部」、「モジュール」などの用語は、少なくとも一つの機能が動作を処理する単位を意味し、これはハードウェアやソフトウェアまたはハードウェアおよびソフトウェアの結合で具現化することができる。
【００２１】
本明細書で、「媒体」とは、インターネットを通じてデジタルコンテンツを提供するウェブサイト、例えば、検索サイトまたはインターネットショッピングモールを意味する。
【００２２】
本明細書で、「媒体広告」とは、ユーザーが媒体に接続する場合、表示される広告、例えば、バナー広告（ｂａｎｎｅｒ）を意味する。
【００２３】
本明細書で、「広告ページ」とは、広告主から提供され、商品またはサービスなどの情報を含み、ユーザーが媒体広告に接続する場合、ユーザーに提供されるウェブページである。例えば、広告ページはランディングページ（ｌａｎｄｉｎｇ  ｐａｇｅ）である。
【００２４】
図１は、本発明の一つの実施形態によるインターネット広告提供装置である。
【００２５】
図１のインターネット広告提供装置１０は、媒体２０、そして広告主サーバー３０と有無線通信網を通じて連結されており、ユーザー端末４０と有無線通信網を通じて連結されている。この時、図１の媒体２０、広告主サーバー３０、そしてユーザー端末４０は、それぞれ一つ以上の媒体２０、一つ以上の広告主サーバー３０、そして一つ以上のユーザー端末４０を含むことができる。
【００２６】
図１のインターネット広告提供装置１０は、接続情報収集部１１、ユーザー判断部１２、移動情報収集部１３、ユーザー分析部１４、広告ページ伝送比率算出部１５、広告伝送部１６、ユーザー情報データベース（以下、「ユーザー情報ＤＢ」という）１７、統合情報データベース（以下、「統合情報ＤＢ」という）１８、そして広告情報データベース（以下、「広告情報ＤＢ」という）１９を含む。
【００２７】
接続情報収集部１１は、ユーザーがユーザー端末４０を通じて媒体２０に接続する場合に発生するユーザー関連情報（以下、「ユーザー接続情報」という）を収集し、ユーザー情報ＤＢ１７に保管する。また、広告キャンペーンの執行時、特定のユーザーが特定のインターネット媒体を接続した時点のユーザー接続情報を収集し、ユーザー情報ＤＢ１７に保管する。この時、ユーザー接続情報は、クッキー（ｃｏｏｋｉｅ）情報、ＩＰ（ｉｎｔｅｒｎｅｔ  ｐｒｏｔｏｃｏｌ）情報、またはユーザー端末ＩＤ（ｉｄｅｎｔｉｆｉｃａｔｉｏｎ）情報のうちの一つ以上を含む。
【００２８】
ユーザー判断部１２は、ユーザー情報ＤＢ１７に保管されているユーザー接続情報に基づいて媒体２０に接続したユーザーが媒体広告を所望するか所望しないかを判断する。例えば、特定のインターネット媒体に対するユーザーの接続情報が存在する場合、媒体広告を所望するユーザーと判断することができる。また、ユーザー判断部１２は、統合情報ＤＢ１８に保管されているユーザーの広告ページ伝送比率を検索する。
【００２９】
移動情報収集部１３は、ユーザーがユーザー端末４０を通じて媒体広告に接続する場合、提供される広告ページに対するユーザーの閲覧情報（以下、「ユーザー移動情報」という）を収集し、ユーザー情報ＤＢ１７に保管する。この時、ユーザー移動情報は、広告ページ間の閲覧順序、広告ページ別閲覧回数、閲覧時間帯または閲覧持続時間のうちの一つ以上を含む。
【００３０】
ユーザー分析部１４は、接続情報収集部１１を通じて収集されたユーザー接続情報と移動情報収集部１３を通じて収集されたユーザー移動情報を含む統合情報を生成し、統合情報ＤＢ１８に保管する。また、ユーザー分析部１４は、統合情報に基づいてユーザーの性向を分析し、分析結果を統合情報ＤＢ１８に保管する。具体的に、ユーザーの性向分析結果は、ユーザーの行動、キーワード情報、ユーザーが閲覧した広告ページ別広告効果、広告効果が最も高い広告ページ、または広告効果が最も低い広告ページのうちの一つ以上を含むことができる。この時、ユーザー判断部１２は、統合情報に基づいて媒体２０に接続したユーザーが媒体広告を所望するか所望しないかを判断することができる。
【００３１】
広告ページ伝送比率算出部１５は、ユーザー分析部１４の性向分析結果に基づいてインターネット広告提供装置１０を通じて提供される一つ以上の広告ページに対する広告ページ伝送比率（回数）を算出し、統合情報ＤＢ１８に保管する。
【００３２】
広告伝送部１６は、ユーザー判断部１２の判断結果に基づいて媒体広告を伝送する。また、広告伝送部１６は、広告ページ伝送比率算出部１５を通じて算出された広告ページ伝送比率に基づいてユーザー端末４０に広告ページを伝送する。また、ユーザー判断部１２を通じて統合情報ＤＢ１８を検索した結果、ユーザーの広告ページ伝送比率が存在する場合、保管されている広告ページ伝送比率に基づいてユーザー端末４０に広告ページを伝送する。具体的に、広告ページ伝送比率によりユーザーに広告効果が高い広告ページを優先順位に伝送する。
【００３３】
広告伝送部１６は、広告ページ伝送比率算出部１５を通じて算出された広告ページ伝送比率が存在しない場合、統合情報ＤＢ１８に予め保管されている広告ページ伝送比率（デフォルト値）に基づいてユーザー端末４０に広告ページを伝送する。具体的に、デフォルト値は広告ページ別伝送比率が同一であり、これによって、ユーザー端末４０に複数の広告ページを同一の回数で伝送する。
【００３４】
ユーザー情報ＤＢ１７は、接続情報収集部１１を通じて収集されたユーザー接続情報と移動情報収集部１３を通じて収集されたユーザー移動情報を保管する。
【００３５】
統合情報ＤＢ１８は、ユーザー分析部１４で生成された統合情報とユーザー分析情報を保管し、広告ページ伝送比率算出部１５で算出された広告ページ伝送比率を保管する。
【００３６】
広告情報ＤＢ１９は、広告主サーバー３０から提供される媒体広告を保管する。また、広告主サーバー３０から提供され、媒体広告を通じて接続することができる複数の広告ページを保管する。
【００３７】
図２は、本発明の一つの実施形態による媒体広告提供方法を示す。
【００３８】
まず、広告主サーバー３０は複数の媒体広告および広告ページ情報をインターネット広告提供装置１０に伝送し（Ｓ１１）、インターネット広告提供装置１０は広告主サーバー３０から伝送された媒体広告および広告ページ情報を広告情報ＤＢ１９に保管する（Ｓ１２）。
【００３９】
以降、ユーザーがユーザー端末４０を通じて媒体２０に接続する場合（Ｓ１３）、媒体２０はユーザーの接続を感知し（Ｓ１４）、ユーザー接続情報を収集してインターネット広告提供装置１０に伝送する（Ｓ１５）。
【００４０】
以降、インターネット広告提供装置１０は、接続情報収集部１１を通じて段階Ｓ１５で伝送されたユーザー接続情報をユーザー情報ＤＢ１７に保管する（Ｓ１６）。
【００４１】
以降、インターネット広告提供装置１０は、ユーザー判断部１２を通じてユーザー接続情報に基づいて媒体２０に対するユーザーの以前の接続有無を検索し（Ｓ１７）、検索結果により広告伝送の要否を判断する。具体的に、ユーザーが現在接続した媒体または他の媒体に対する接続履歴が確認される場合、広告を所望するユーザーと判断する。
【００４２】
段階Ｓ１７で広告を所望するユーザーと判断される場合、インターネット広告提供装置１０は広告伝送部１６を通じて媒体広告を伝送する（Ｓ１８）。この時、段階Ｓ１８では接続情報収集部１１を通じて収集されたユーザー接続情報と移動情報収集部１３を通じて収集されたユーザー移動情報またはユーザー分析部１４で生成される統合情報に基づいてユーザーに対応する媒体広告を伝送することができる。
【００４３】
もし、段階Ｓ１７で広告を所望するユーザーでないと判断される場合、媒体広告を伝送しない（Ｓ１９）。
【００４４】
以降、媒体２０は、段階Ｓ１８で伝送された媒体広告をユーザー端末４０に提供し（Ｓ２０）、ユーザー端末４０は媒体広告を出力する（Ｓ２１）。
【００４５】
図３は、本発明の一つの実施形態による広告ページ提供方法を示す。
【００４６】
図２の段階Ｓ２１を通じてユーザー端末４０に媒体広告が出力される場合、ユーザーはユーザー端末４０を通じて媒体広告に接続（つまり、広告ページを閲覧）し（Ｓ３１）、広告主サーバー３０は媒体広告接続を感知し（Ｓ３２）、ユーザー移動情報を収集してインターネット広告提供装置１０に伝送する（Ｓ３３）。
【００４７】
以降、インターネット広告提供装置１０は、移動情報収集部１３を通じて段階Ｓ３３で伝送されるユーザー移動情報をユーザー情報ＤＢ１７に保管する（Ｓ３４）。
【００４８】
その後、インターネット広告提供装置１０は、ユーザー分析部１４を通じてユーザー接続情報とユーザー移動情報を含む統合情報を生成し、統合情報に基づいてユーザーの性向を分析して統合情報ＤＢ１８に保管する（Ｓ３５）。この時、ユーザー性向分析結果は、ユーザーの行動、キーワード情報、ユーザーが閲覧した広告ページ別広告効果、広告効果が最も高い広告ページ、または広告効果が最も低い広告ページのうちの一つ以上を含むことができる。
【００４９】
以降、インターネット広告提供装置１０は、ユーザー判断部１２を通じてユーザーの広告ページ伝送比率の存在有無を検索する（Ｓ３６）。
【００５０】
段階Ｓ３６の検索結果、ユーザーの広告ページ伝送比率が存在する場合、インターネット広告提供装置１０は、広告伝送部１６を通じてユーザーの広告ページ伝送比率によりユーザー端末４０に広告ページを伝送する（Ｓ３７）。
【００５１】
もし、段階Ｓ４２の検索結果、ユーザーの広告ページ伝送比率が存在しない場合、インターネット広告提供装置１０は、広告伝送部１６を通じてデフォルト値によりユーザー端末４０に広告ページを伝送する（Ｓ３９）。
【００５２】
ユーザー端末４０は、インターネット広告提供装置１０を通じて提供される広告ページを出力する（Ｓ３８、Ｓ４０）。
【００５３】
以降、インターネット広告提供装置１０は、広告ページ伝送比率算出部１５を通じて段階Ｓ３５のユーザー性向分析結果に基づいて広告ページ伝送比率を算出し、統合情報ＤＢ１８に保管する（Ｓ４１）。この時、段階Ｓ３６の検索結果、ユーザーの広告ページ伝送比率が存在する場合、統合情報ＤＢ１８に保管されている広告ページ伝送比率を段階Ｓ４１で算出した広告ページ伝送比率で更新する。
【００５４】
図４は、本発明の一つの実施形態による接続情報と移動情報の例示である。
【００５５】
図４に示すように、媒体２０はユーザーの接続を感知する場合、図２の段階Ｓ１５で媒体ＵＲＬ、媒体カテゴリー１、媒体カテゴリー２、そして機器などを含むユーザー接続情報を収集してインターネット広告提供装置１０に伝送する。
【００５６】
また、広告主サーバー３０は、ユーザーが媒体広告に接続する場合（つまり、広告ページを閲覧する場合）、図３の段階Ｓ３３でユーザー端末４０を通じて提供される広告ページを対象として広告主サイトＵＲＬ、広告主サイトカテゴリー１、広告主サイトカテゴリー２、そしてユーザーのクリック有無などを含むユーザー移動情報を収集してインターネット広告提供装置１０に伝送する。
【００５７】
図５は、本発明の一つの実施形態による統合情報の例示である。
【００５８】
図５に示すように、インターネット広告提供装置１０は、図３の段階Ｓ３５でユーザー分析部１４を通じて図４に開示されたユーザー接続情報とユーザー移動情報を含む統合情報を生成する。
【００５９】
図６は、本発明の一つの実施形態による広告ページ伝送比率の例示である。
【００６０】
図６は、ユーザー別（第１ユーザー、第２ユーザー）最適の広告ページ伝送比率を示す。
【００６１】
図６に示すように、一つのキーワードに対応する広告ページａ、ｂ、ｃ、ｄが存在する場合、第１ユーザーと第２ユーザーのそれぞれの広告ページ別伝送比率は、Ｗ：Ｘ：Ｙ：ＺとＡ：Ｂ：Ｃ：Ｄである。この時、Ｗ：Ｘ：Ｙ：ＺとＡ：Ｂ：Ｃ：Ｄは、広告主サーバー３０から提供される広告ページを第１ユーザーと第２ユーザーに提供するに当たり、第１ユーザーと第２ユーザーに最適化した広告ページの伝送比率である。
【００６２】
つまり、それぞれのユーザーに広告効率が高い広告ページの伝送比率は高く、広告効率が低い広告ページの伝送比率は低い。この時、ユーザーに広告効率が高い広告ページは、ユーザーの以前の閲覧回数が多いか、ユーザーの関心キーワードを含むか、または予め設定されている基準によりユーザープロファイルに対応する広告ページであってもよい。
【００６３】
例えば、第１ユーザーの広告ページ伝送比率がＷ＞Ｘ＞Ｙ＞Ｚである場合、広告効率が最も高い広告ページａを第１ユーザー端末に最も多く伝送し、その次に広告効率が高い広告ページｂを多く伝送し、その次に広告効率が高い広告ページｃを伝送し、広告効率が最も低い広告ページｄを最も少なく伝送することができる。
【００６４】
本発明の一つの実施形態によると、インターネット媒体広告に対するユーザー接続情報と広告ページに対するユーザー移動情報を統合してユーザーを分析することによってユーザーに最適化した広告ページ伝送比率を算出してユーザーに広告ページを提供することができる。
【００６５】
本発明の一つの実施形態によると、ユーザーがインターネット媒体に接続する場合、予め保管されているユーザー接続情報、ユーザー移動情報、そして統合情報のうちの一つ以上の情報に基づいて選択的に媒体広告を提供することによって広告効率を向上させることができる。
【００６６】
以上で、本発明の実施形態について詳細に説明したが、本発明の権利範囲がこれに限定されるのではなく、本発明の属する分野における通常の知識を有する者が多様に変形および改良した形態も本発明の権利範囲に属する。
【符号の説明】
【００６７】
１０…インターネット広告提供装置
２０…媒体
３０…広告主サーバー
４０…ユーザー端末
【図１】
0006637524.tif 000002
【図２】
0006637524.tif 000003
【図３】
0006637524.tif 000004
【図４】
0006637524.tif 000005
【図５】
0006637524.tif 000006
【図６】
0006637524.tif 000007